(57)【要約】【課題】それぞれのウェルに互いに異なる試薬を注入することのできる、高速スクリーニングまたは高速分析のための微小流体チップを提供する。【解決手段】 本発明の第１の特徴に係る高速スクリーニングまたは高速分析のための微小流体チップは、１次元または２次元的に配列されて試料を孤立させるための複数のウェルと、前記各ウェルの上端部に位置して上下移動の可能な試料孤立手段と、前記試料孤立手段の上端部に位置して前記試料孤立手段を上下移動させるための開閉手段と、前記試料が注入される入り口および前記注入された試料の余分が排出される出口と、前記各ウェル内に試薬が注入される試薬注入路および前記試薬が排出される試薬排出路と、を含む。 【選択図】図１ｂ
2005292115.tif 000002
【特許請求の範囲】
【請求項１】
１次元または２次元的に配列されて試料を孤立させるための複数のウェルと、
前記各ウェルの上端部に位置して上下移動の可能な試料孤立手段と、
前記試料孤立手段の上端部に位置して前記試料孤立手段を上下移動させるための開閉手段と、
前記試料が注入される入り口および前記注入された試料の余分が排出される出口と、
前記各ウェル内に試薬が注入される試薬注入路および前記試薬が排出される試薬排出路と、を含むことを特徴とする高速スクリーニングまたは高速分析のための微小流体チップ。
【請求項２】
前記各ウェルの２次元的な配列形式は、定型化された配列または非定型化された配列にて位置することを特徴とする請求項１記載の高速スクリーニングまたは高速分析のための微小流体チップ。
【請求項３】
前記各ウェルの大きさに応じて前記各ウェル内に注入される試料の孤立する量または数が決定されることを特徴とする請求項１記載の微小流体チップ。
【請求項４】
前記各ウェルのそれぞれに連結された試薬注入路は互いに異なるチャンネルでなることを特徴とする請求項１記載の高速スクリーニングまたは高速分析のための微小流体チップ。
【請求項５】
前記各ウェルのそれぞれに連結された試薬注入路のチャンネルから、互いに同じ種類の試薬または互いに異なる種類の試薬が注入されることを特徴とする請求項４記載の高速スクリーニングまたは高速分析のための微小流体チップ。
【請求項６】
前記開閉手段には、前記試料孤立手段を上部に位置させるための空間が形成されていることを特徴とする請求項１記載の高速スクリーニングまたは高速分析のための微小流体チップ。
【請求項７】
前記開閉手段は空圧通路を備え、前記空圧通路によって外部圧力を調節することで前記孤立手段が開閉されることを特徴とする請求項１記載の高速スクリーニングまたは高速分析のための微小流体チップ。
【請求項８】
前記試料孤立手段および開閉手段には金属電極が具備され、電気的な制御による電場を利用することで前記孤立手段が開閉されることを特徴とする請求項１記載の高速スクリーニングまたは高速分析のための微小流体チップ。
【請求項９】
前記試料孤立手段には導線がコイル状に形成され、前記導線に対向するように電磁石を形成して、外部からの電気的な制御による磁場を利用することで前記孤立手段が開閉されることを特徴とする請求項１記載の高速スクリーニングまたは高速分析のための微小流体チップ。
【請求項１０】
前記開閉手段には電極が形成されて前記試料孤立手段の上端部には圧電体が形成され、外部電圧の印可によって前記孤立手段を開閉することを特徴とする請求項１記載の高速スクリーニングまたは高速分析のための微小流体チップ。
【請求項１１】
１次元または２次元的に配列されて試料を孤立させるための複数のウェルと、
前記各ウェルの上端部に位置して上下移動の可能な試料孤立手段と、
前記試料孤立手段の上端部に位置して前記試料孤立手段を上下移動させるための開閉手段と、
前記試料が注入される入り口および前記注入された試料の余分が排出される出口と、
前記各ウェル内に試薬が注入される試薬注入路および前記試薬が排出される試薬排出路と、
前記各ウェルの内部に形成されて二重電気移動（Dielectrophoresis）現象を引き起こす一対の金属電極と、
を含むことを特徴とする高速スクリーニングまたは高速分析のための微小流体チップ。
【請求項１２】
前記金属電極は、金、銀、白金、アルミニウム、半導体材料または伝導性ポリマーのうちのいずれか一つであることを特徴とする請求項１１記載の高速スクリーニングまたは高速分析のための微小流体チップ。
【請求項１３】
前記各ウェルの２次元的な配列形式は、定型化された配列または非定型化された配列にて位置することを特徴とする請求項１１記載の高速スクリーニングまたは高速分析のための微小流体チップ。
【請求項１４】
前記各ウェルの大きさに応じて前記ウェル内に注入される試料の孤立する量または数が決定されることを特徴とする請求項１１記載の微小流体チップ。
【請求項１５】
前記各ウェルのそれぞれに連結された試薬注入路は、互いに異なるチャンネルでなることを特徴とする請求項１１記載の高速スクリーニングまたは高速分析のための微小流体チップ。
【請求項１６】
前記各ウェルのそれぞれに連結された試薬注入路のチャンネルから、互いに同じ種類の試薬または互いに異なる種類の試薬が注入されることを特徴とする請求項１５記載の高速スクリーニングまたは高速分析のための微小流体チップ。
【請求項１７】
前記開閉手段には、前記試料孤立手段を上部に位置させるための空間が形成されていることを特徴とする請求項１１記載の高速スクリーニングまたは高速分析のための微小流体チップ。
【請求項１８】
前記開閉手段は空圧通路を備え、前記空圧通路によって外部圧力を調節することで前記孤立手段が開閉されることを特徴とする請求項１１記載の高速スクリーニングまたは高速分析のための微小流体チップ。
【請求項１９】
前記試料孤立手段および開閉手段には金属電極が具備され、電気的な制御による電場を利用することで前記孤立手段が開閉されることを特徴とする請求項１１記載の高速スクリーニングまたは高速分析のための微小流体チップ。
【請求項２０】
前記試料孤立手段には導線がコイル状に形成され、前記導線に対向するように電磁石を形成して、外部からの電気的な制御による磁場を利用することで前記孤立手段が開閉されることを特徴とする請求項１１記載の高速スクリーニングまたは高速分析のための微小流体チップ。
【請求項２１】
前記開閉手段には電極が形成されて前記試料孤立手段の上端部には圧電体が形成され、外部電圧の印可によって前記孤立手段を開閉することを特徴とする請求項１１記載の高速スクリーニングまたは高速分析のための微小流体チップ。
【発明の詳細な説明】
【技術分野】
【０００１】
本発明は、微小流体チップ（Microfluidic  Chip）に係り、より詳細には高速スクリーニング（High-throughput  Screening）または高速分析（High-throughput  Assay）のための微小流体チップの構造を改善し、高速スクリーニングまたは高速分析の效率を増大させることのできる微小流体チップに関する。
【背景技術】
【０００２】
通常、生物実験または化学実験においてはウェルプレート（well  plate）が用いられている。また、ウェルの数に従って１６ウェルプレート、４８ウェルプレートまたは９６ウェルプレートを用いており、最近は高速分析のために１５３６ウェル以上のウェルを有するプレートが導入されている。
【０００３】
また、マイクロマシーニング技術の発達に伴って高速分析のための微小流体チップが開発されつつある。下記特許文献１では、高集積度の微小流体チップが提案されている。しかしながら、単に集積度のみを高めたものであって、それぞれのウェルに独立的に試薬を注入するには困難な構造である。
【０００４】
また、A.R.Wheelerは、論文「Microfluidic  device  for  single-cell  analysis、Analytical  Chemistry,Vol.75,pp.3581-3586,2003」において、所望の位置に細胞を固定し、流体通路を介して薬物を投与するチップを提案した。しかし、流体の流れがない場合、細胞が安定的に固定されないという問題があり、しかも１次元的な構造であるため数多くの細胞を同時に分析することができない構造であるという問題点がある。
【０００５】
このような従来の微小流体チップは、単にウェルの集積度のみを増加させることにより、試料および試薬を高集積化されたウェルにローディングするための追加的な制御装備を使用しなければならないという問題があった。また、試料および試薬が液体である場合、高集積化による量の減少で、容易に蒸発してしまうという問題があった。
【特許文献１】アメリカ特許第６,２３５,５２０Ｂ１号
【発明の開示】
【発明が解決しようとする課題】
【０００６】
本発明は、かかる従来の種々の問題点を解決するためになされたものであって、その目的は、それぞれのウェルに互いに異なる試薬を注入することのできる微小流体チップを提供することにある。
【０００７】
本発明の他の目的は、各ウェルが微小流体チップ上に２次元的に配列されるようにすることで、集積度を高めることのできる微小流体チップを提供することにある。
【０００８】
本発明の更に他の目的は、ウェル内の試料または試薬を孤立させることができ、蒸発を防止することのできる孤立手段を備えた微小流体チップを提供することにある。
【０００９】
本発明の更に他の目的は、二重電気移動（dielectrophoresis）現象を利用してウェル内に試料を容易に注入できるように、ウェル内に一対の電極が配置された微小流体チップを提供することにある。
【００１０】
本発明の更に他の目的は、前記ウェル内に配置された電極を用いて電気的反応を検出することのできる微小流体チップを提供することにある。
【課題を解決するための手段】
【００１１】
本発明の第１特徴に係る高速スクリーニングまたは高速分析のための微小流体チップは、１次元または２次元的に配列されて試料を孤立させるための複数のウェルと、前記各ウェルの上端部に位置して上下移動の可能な試料孤立手段と、前記試料孤立手段の上端部に位置して前記試料孤立手段を上下移動させるための開閉手段と、前記試料が注入される入り口および前記注入された試料の余分が排出される出口と、前記各ウェル内に試薬が注入される試薬注入路および前記試薬が排出される試薬排出路と、を含むことを特徴とする。
【００１２】
第１特徴によれば、微小流体チップ上にウェルを集積し、高集積化された１次元または２次元的な配列になるようにする。また、前記ウェル内の試料および試薬の蒸発を防止して前記試料および試薬を孤立させるための試料孤立手段と、前記試料孤立手段を開閉するための開閉手段とを備える。また、試薬を選択的に注入するために前記それぞれのウェルに試薬注入路を形成する。これにより、本発明による微小流体チップは、より一層効率的に高速スクリーニングまたは高速分析を行うことができる。
【００１３】
本発明の第２特徴に係る高速スクリーニングまたは高速分析のための微小流体チップは、１次元または２次元的に配列されて試料を孤立させるための複数のウェルと、前記各ウェルの上端部に位置して上下移動の可能な試料孤立手段と、前記試料孤立手段の上端部に位置して前記試料孤立手段を上下移動させるための開閉手段と、前記試料が注入される入り口および前記注入された試料の余分が排出される出口と、前記各ウェル内に試薬が注入される試薬注入路および前記試薬が排出される試薬排出路と、前記各ウェルの内部に形成されて二重電気移動現象を引き起こす一対の金属電極と、を含むことを特徴とする。
【００１４】
第２特徴によれば、それぞれのウェルの内部に一対の電極を配置することで、試料を容易にウェル内部に捕獲することができる。前記電極を用いた捕獲は二重電気移動現象を利用したものである。また、前記電極は試料の電気的反応を検出するのに利用され得る。
【発明の効果】
【００１５】
本発明に係る微小流体チップは次のような効果を奏する。
【００１６】
第一に、半導体工程およびＭＥＭＳ技術を利用してチップ上に各ウェルを高集積化することができるので、数多くの実験分析を同時に行えるという効果を奏する。
【００１７】
第２に、各ウェルの上端部に開閉可能な試料孤立手段を備えることにより、細胞やビーズなどの試料をウェル内部に安定的に孤立させ得るという効果を奏する。また、各ウェルの上端部に試料孤立手段覆いを配置することで、それぞれのウェルに流れ込まれた試薬が隣接したウェルに流れ込まれるようなことを防止できるという効果を奏する。
【００１８】
第３に、それぞれのウェルに連結された試薬注入路を備えることにより、それぞれのウェル内に互いに異なる試薬を流し込むことが可能となり、数多くのウェルにおいて互いに異なる実験を同時に行えるという効果を奏する。
【００１９】
第４に、それぞれのウェルの内部に一対の金属電極を配置することで、二重電気移動現象を利用して試料をウェル内部に引き寄せたり外部に押し出すことができる。また、電極を介してウェル内の試料に電気刺激を印加することができ、ウェル内の反応を電気的に検出できるという効果を奏する。
【発明を実施するための最良の形態】
【００２０】
以下、本発明に係る具体的な実施形態を各発明に従って順に添付された図面を参照して説明する。
【００２１】
＜第１実施形態＞
図１ａおよび図１ｂは、本発明の第１実施形態に係る微小流体チップを概略的に示した平面図および断面図である。
【００２２】
図１ａおよび図１ｂに示すように、本発明の第１実施形態に係る微小流体チップは、ウェル１０、試料孤立手段２０、開閉手段３０、入り口４０、出口５０、試薬注入路６０、および試薬排出路７０を備えている。
【００２３】
ウェル１０は、１次元または２次元的に配列されており、細胞、ビーズ（beads）または溶液のような試料が位置する。また、試薬を注入して試料との反応を検出することができる。
【００２４】
このとき、各ウェル１０を２次元的に配列することによって平面上において無限大に拡張させることができる。また、前記ウェル１０の２次元的な配列形式は、定型化された配列または非定型化された配列にすることができる。
【００２５】
また、前記ウェル１０の大きさに応じて前記ウェル１０内に注入される試料の孤立する量または数を調節することができる。
【００２６】
試料孤立手段２０は前記ウェル１０の上端部に位置して上下移動が可能であるので、前記ウェル１０の内部に位置した試料を孤立させることができる。前記ウェル１０の内部の試料を孤立させることで試料または試薬がウェルの外部に抜け出たり蒸発してしまうようなことを防止することができ、互いに隣接したウェル１０に隣接した試料または試薬が流れ込むことを防止することができる。
【００２７】
開閉手段３０は前記試料孤立手段２０の上端部に位置し、前記試料孤立手段２０を上下移動させて前記ウェル１０を開閉する。前記開閉手段３０には、前記試料孤立手段２０を上部に位置させるための空間９０が形成されている。
【００２８】
本発明の第１実施形態によれば、前記開閉手段３０は空圧通路８０を備え、前記空圧通路８０を介して流れ込む空気圧によって前記試料孤立手段２０は開閉する。図１では、前記空圧通路８０が開閉手段３０の右側の中央部に位置しているが、開閉手段３０のどの部分に位置していても良い。前記空圧通路８０を備えた開閉手段３０に関するより詳しい説明は、以降記述することにする。
【００２９】
入り口４０から微小流体チップ内に前記試料が注入され、このとき、入り口４０を介して注入された試料は前記ウェルの内部にその所定量が流れ込まれる。前記入り口４０を介して注入された試料のうち、前記ウェル１０の内部に流れ込んだ所定量の試料を除いた余分の試料が、出口５０を介して排出される。
【００３０】
試薬注入路６０は前記各ウェル１０内に試薬が注入される通路である。試薬注入路６０は前記ウェル１０にそれぞれ連結され、互いに異なるチャンネルを成している。したがって、前記ウェル１０のそれぞれに連結された試薬注入路６０のチャンネルから、互いに同じ種類の試薬または互いに異なる種類の試薬が注入され得る。
【００３１】
試薬排出路７０は上記反応に要される所定量の試薬を除いた余分の試薬が排出され、ウェル内で試薬の反応が終わった後に使用された試薬が排出される通路である。図１ａでは、前記試薬排出路７０が同一のチャンネルとして形成されているが、互いに異なるチャンネルとして形成されていても良い。
【００３２】
図２は、本発明の第１実施形態に係る微小流体チップの分解斜視図である。図２に示すように、本発明の第１実施形態に係る微小流体チップは、４枚の基板が結合した形状を有する。
【００３３】
第１の基板２１０は微小流体チップの底面となる基板である。
【００３４】
第２の基板２２０は第１の基板２１０の上端部に位置する。第２の基板２２０上には１次元または２次元的な配列形状のウェル１０が形成され、第２の基板２２０の下端部にはそれぞれのウェル１０に連結された試薬注入路６０および試薬排出路７０が形成されている。
【００３５】
第３の基板２３０は第２の基板２２０の上端部に位置する。このとき、第３の基板２３０は薄い覆いの形状でなっていて、試料孤立手段２０として用いられる。
【００３６】
第４の基板２４０は第３の基板２３０の上端部に位置する。第４の基板２４０の内部には空いた空間が形成されている。また、前記空圧通路８０を介して流れ込む空気圧によって前記第３の基板を持ち上げたり持ち下げたりすることのできる構造になっている。すなわち、第４の基板２４０は開閉手段３０として用いられる。
【００３７】
ここで、前記微小流体チップは、４枚以上の基板を形成した後、それらを結合させて作製することもでき、前記基板のうちのいずれか２枚またはそれ以上の基板を一つの構造体として形成し、４枚未満の基板を結合させて作製することもできる。
【００３８】
このとき、微小流体チップは半導体工程またはＭＥＭＳ（Microelectromechanical  Systems）技術を利用して作製することができる。
【００３９】
上述されたそれぞれの基板の材質は、シリコン、ガラス、ＰＤＭＳ（polydimethyl siloxane）、シリコン・ゴム、その他ポリマーなどの様々な材料でなっていても良い。
【００４０】
図３は、本発明の第１実施形態に係る微小流体チップの動作を説明するために示した図である。まず、（ａ）に示すように、試料孤立手段である覆い２３１を、下方に膨らんだ構造をとるようにする。上記のような膨らんだ構造の覆い２３１は、下方に向けて所定の力で押圧されるような構造でなるので、それぞれのウェル１０を孤立化することができるようになる。
【００４１】
次いで、（ｂ）に示すように、空圧通路８０を介して空気を吸いこむことで覆い２３１が上方の空いた空間９０に移動され、各ウェル１０の上端部が開かれる。
【００４２】
次いで、入り口４０から試料が注入される。注入された試料は出口５０の方に排出されると同時に、一部は試薬排出路７０の方に流れ出されるが、このとき、試薬排出路７０の大きさは試料３１０の大きさより小さいので、細胞やビーズなどの試料３１０が試薬排出路７０から排出されず、ウェル１０の内部に引っかかってしまう。
【００４３】
その後、所定量の試料３１０がウェル１０内に流れ込むと、試薬排出路７０が若干詰まるので試薬排出路７０から抜け出る試料３１０の量が減少する。したがって、その時点からは入り口４０から流れ込む各試料が、既に試料の入っているウェル１０の方に流れず、出口５０の方に流れ出す。
【００４４】
このとき、各ウェル１０の内部に注入される試料３１０の孤立する量または数は、前記ウェル１０の大きさに応じて調節することができる。
【００４５】
次に、（ｃ）に示すように、空圧通路８０を介して開閉手段３０に空気を注入し、更に覆い２３１を下方に移動させる。すなわち、ウェル１０の上端部を遮断することで試料３１０をウェル１０の内部に孤立させる。
【００４６】
その後、試薬注入路６０を介して要される反応試薬３２０を注入し、ウェル１０内で所望の実験を行うようにする。このとき、ウェル１０の上端部が塞がっているために、注入された試薬３２０が隣接したウェルに流れ込むことを遮断でき、それぞれ異なるチャンネルで形成された試薬注入路６０を介して互いに異なる試薬をそれぞれのウェル１０に注入することができる。注入された試薬３２０は試薬排出路７０を介してのみ抜け出すようになる。
【００４７】
本発明の第１実施形態では、上述した通り、前記開閉手段は空圧通路を備え、前記空圧通路８０を介して流れ込む空気圧によって前記孤立手段が開閉するようにする。
【００４８】
また、試料孤立手段および開閉手段には金属電極が対向されており、外部から電気的な信号のオン／オフを通じ、試料孤立手段と開閉手段との間で発生される静電気的な引力によって試料孤立手段を上下に移動させる構造も可能である。
【００４９】
ここで、金属電極には外部駆動回路との電気的な連結のため外部連結用パッドが備えることもでき、試料孤立手段と開閉手段との間の電気的な短絡を防ぐために試料孤立手段又は開閉手段に絶縁膜を形成するのが望ましい。
【００５０】
また、試料孤立手段の上に磁性物質たとえばＦｅ、Ｎｉなどを形成し、磁性物質に対向する側にディバイスの外部に電磁石を形成する。ここで、電磁石に電源を加えると試料孤立手段の上に付いていた磁性物質が引っ張られて上がるようになって試料孤立手段が開く構造もできる。
【００５１】
また、試料孤立手段の上に導電性物質をコイル状に付け、ディバイスの外部に磁石を位置させる後、コイルに電流を流すと、電場内で電流が流れる導線はローレンツ力(Lorentz force)を受けるようになって試料孤立手段が開閉される構造もできる。
【００５２】
また、 試料孤立手段の上に圧電物質を形成した後圧電物質に電圧を印加すると、圧電物質が機械的に変形しようとする性質(伸長・収縮)があるため、圧電物質の下部に付いている試料孤立手段と共に上方に上げられて開くようになる構造でもよい。
【００５３】
＜第２実施形態＞
図４は、本発明の第２実施形態に係る微小流体チップの断面図である。図４に示すように、本発明の第２実施形態に係る微小流体チップは第１実施形態と同様に、ウェル１０、試料孤立手段２０、開閉手段３０、入り口４０、出口５０、試薬注入路６０、および試薬排出路７０を備えている。また、前記それぞれのウェルの内部には一対の金属電極４１０が形成されている。
【００５４】
前記一対の金属電極４１０に電圧を印加することにより、試料がウェル内部に容易に流れ込むように引き寄せることができ、また試料を外側に押し出すこともできる。このような作用は二重電気移動現象を利用した結果である。
【００５５】
二重電気移動現象とは、溶液中にある細胞やビーズのような粒子（particle）が電場によって電場の密集した所に引き寄せられて移動したり、逆に電場の弱い所に移動するような現象である。このとき、各粒子の移動性は溶液や粒子の種類だけでなく、加えられる電場の大きさおよび周波数を変えることで制御することができる。前記二重電気移動現象を利用することにより、試料中から要される細胞またはビーズを特定のウェル１０内に入れ込むことができる。
【００５６】
また、前記金属電極４１０は、ウェル内部の試料に電気的な刺激を与えることができる。例えば、試料が細胞である場合、外部から加えられる電気的刺激に対する細胞の反応を観察することで、神経疾患のような特定疾病に対する研究が可能となる。また、細胞外部から電場を加えて細胞壁に穴を開けることで、細胞内に試薬やＤＮＡなどを入れこむことができる。
【００５７】
また、前記金属電極４１０は、ウェル内部で起こる反応の電気的な信号を検出することもできる。例えば、前記金属電極４１０を用いて細胞の膜電位を検出することができる。また、前記金属電極４１０を用いて適切な電圧または電流を印加して前記印加電圧または電流による信号を検出する、酸化還元反応分析法を使用することもできる。
【００５８】
このとき、本発明の第２実施形態に係る金属電極を外部に引き出してパッド部４２０を形成することで、金属電極のパッド部４２０を介して電気的な信号を印加したり検出することができる。
【００５９】
ここで、前記金属電極４１０は、金、銀、白金、アルミニウム、半導体材料または伝導性ポリマーのうちのいずれか一つを使用することが好ましい。
【００６０】
本発明の第２実施形態においても第１実施形態と同様に、２次元的な配列形式、ウェルの大きさに応じた試料の量または数、試薬注入路のチャンネル、注入される試薬および孤立手段の空いた空間などに同様に適用されて同様の効果を得ることができる。これに対する詳細な説明は、第１実施形態に関連して既に説明したので、ここでは省略することにする。
【００６１】
また、本発明の第２実施形態においても、第１実施形態と同様に、開閉手段は様々な変形形態、すなわち空気圧を利用した開閉、電場を利用した開閉、磁場を利用した開閉、圧電体を利用した開閉など、様々な形態の変形が可能である。
【００６２】
図５は、本発明の第１実施形態に係る微小流体チップの実際の形状を示した図である。図５の微小流体チップは実際に具現された写真であって、半導体工程およびＭＥＭＳ技術を利用して具現したものである（国際マイクロＴＡＳ学会；International  micro-TAS  conference  2003）。
【００６３】
図５に示すように、微小流体チップは４×４配列の総１６個のウェルを有し、それぞれのウェルにはＣＨＯ（Chinese  hamster  ovary）細胞が孤立している。
【００６４】
このように、上述した本発明の技術的な構成は、本発明が属する技術分野の当業者が本発明の技術的思想や必須特徴を変更させずとも、他の具体的な形態にて実施できるようなものであることを理解することができるであろう。
【００６５】
したがって、上述した各実施形態はすべての面において例示的なものであって限定的なものではないものとして理解されるべきであり、なお、本発明の範囲は上記の詳細な説明だけではなく、特許請求範囲によっても記述され、特許請求範囲の意味および範囲、そしてその等価的な概念から導出されるすべての変更または変形された形態も、本発明の範囲に含まれるものとして解釈されるべきである。
【図面の簡単な説明】
【００６６】
【図１ａ】本発明の第１実施形態に係る微小流体チップを概略的に示した平面図である。
【図１ｂ】本発明の第１実施形態に係る微小流体チップを概略的に示した断面図である。
【図２】本発明の第１実施形態に係る微小流体チップの分解斜視図である。
【図３】本発明の第１実施形態に係る微小流体チップの動作を説明するために示した図である。
【図４】本発明の第２実施形態に係る微小流体チップの断面図である。
【図５】本発明の第１実施形態に係る微小流体チップの実際の形状を示した図である。
【符号の説明】
【００６７】
１０    ウェル
２０    試料孤立手段
３０    開閉手段
４０    入り口
５０    出口
６０    試薬注入路
７０    試薬排出路
８０    空圧通路
２１０    第１の基板
２２０    第２の基板
２３０    第３の基板
２３１    覆い
２４０    第４の基板
３１０    試料
３２０    試薬
４１０    金属電極
４２０    パッド部
【図１ａ】
2005292115.tif 000003
【図１ｂ】
2005292115.tif 000004
【図２】
2005292115.tif 000005
【図３】
2005292115.tif 000006
【図４】
2005292115.tif 000007
【図５】
2005292115.tif 000008